(57)【要約】【課題】施設の利用効率を高めることが可能な施設管理装置、施設管理方法及びプログラムを提供する。【解決手段】本発明の一形態に係る施設管理装置は、複数の利用スペースを有し、事前に利用予定時刻を登録する予約利用と、事前に利用予定時刻を登録しない一般利用とが可能な施設を管理する施設管理装置であって、出場予定時刻取得部と、予約情報取得部と、予約状況管理部とを具備する。前記出場予定時刻取得部は、前記一般利用により前記施設を利用する一般利用者の前記施設からの出場予定時刻を取得する。前記予約情報取得部は、前記予約利用により前記施設を利用する予約利用者の、前記利用予定時刻を含む予約情報を取得する。前記予約状況管理部は、取得された前記出場予定時刻及び前記予約情報に基づいて、前記施設の前記利用スペースの予約状況を管理する。【選択図】図９
2019028630.tif 000002
【特許請求の範囲】
【請求項１】
複数の利用スペースを有し、事前に利用予定時刻を登録する予約利用と、事前に利用予定時刻を登録しない一般利用とが可能な施設を管理する施設管理装置であって、
前記一般利用により前記施設を利用する一般利用者の前記施設からの出場予定時刻を取得する出場予定時刻取得部と、
前記予約利用により前記施設を利用する予約利用者の、前記利用予定時刻を含む予約情報を取得する予約情報取得部と、
取得された前記出場予定時刻及び前記予約情報に基づいて、前記施設の前記利用スペースの予約状況を管理する予約状況管理部と
を具備する施設管理装置。
【請求項２】
請求項１に記載の施設管理装置であって、
前記予約状況管理部は、
取得された前記出場予定時刻及び前記予約情報に基づいて、前記予約利用者が利用予定の予約スペースを管理する
施設管理装置。
【請求項３】
請求項２に記載の施設管理装置であって、
前記予約状況管理部は、
取得された前記出場予定時刻及び前記予約情報に基づいて、現在時刻において確保すべき前記予約スペースの数を予約スペース数として算出し、
前記施設管理装置は、
前記施設を利用中の前記予約利用者及び前記一般利用者についての情報である利用情報を取得する利用情報取得部と、
現在時刻における前記予約スペース数と前記利用情報とに基づいて、前記一般利用者の利用が可能な前記利用スペースの数を一般利用可能スペース数として算出する一般利用管理部をさらに具備する
施設管理装置。
【請求項４】
請求項３に記載の施設管理装置であって、
前記一般利用管理部は、
前記一般利用可能スペース数が所定の閾値以下の場合に、前記一般利用者の入場を規制する
施設管理装置。
【請求項５】
請求項２から４のうちのいずれか一項に記載の施設管理装置であって、
前記予約状況管理部は、
取得された前記出場予定時刻及び前記予約情報に基づいて、各時刻において確保すべき前記予約スペースの数を予約スペース数として算出し、
前記施設管理装置は、
前記予約スペース数に基づいて、前記予約利用者から申請された入場予定時刻における予約の受付の可否を判定する予約受付判定部をさらに具備する
施設管理装置。
【請求項６】
請求項１から５のうちのいずれか一項に記載の施設管理装置であって、
前記出場予定時刻を申請した前記一般利用者の実際の出場時刻を取得する出場情報取得部と、
取得された前記出場時刻に基づいて、前記一般利用者に報奨を付与するか否か判定する報奨付与判定部と
をさらに具備する施設管理装置。
【請求項７】
請求項６に記載の施設管理装置であって、
前記報奨付与判定部は、
前記出場予定時刻と前記出場時刻との差異が所定の時間以下であった場合に、前記一般利用者に報奨を付与すると判定する
施設管理装置。
【請求項８】
請求項６に記載の施設管理装置であって、
前記報奨付与判定部は、
前記駐車場が混雑している場合であって、取得された前記出場時刻が前記出場予定時刻以前の所定範囲の時刻である場合に、前記一般利用者に報奨を付与すると判定する
施設管理装置。
【請求項９】
請求項１から８のうちいずれか一項に記載の施設管理装置であって、
前記出場予定時刻取得部は、前記一般利用者の所持する携帯端末から、前記一般利用者を識別する識別情報に対応付けられた前記出場予定時刻を受信する
施設管理装置。
【請求項１０】
複数の利用スペースを有し、事前に利用予定時刻を登録する予約利用と、事前に利用予定時刻を登録しない一般利用とが可能な施設を管理する施設管理方法であって、
前記一般利用により前記施設を利用する一般利用者の前記施設からの出場予定時刻を取得し、
前記予約利用により前記施設を利用する予約利用者の、前記利用予定時刻を含む予約情報を取得し、
取得された前記出場予定時刻及び前記予約情報に基づいて、前記施設の前記利用スペースの予約状況を管理する
施設管理方法。
【請求項１１】
複数の利用スペースを有し、事前に利用予定時刻を登録する予約利用と、事前に利用予定時刻を登録しない一般利用とが可能な施設を管理する施設管理方法をコンピュータに実行させるプログラムであって、
前記一般利用により前記施設を利用する一般利用者の前記施設からの出場予定時刻を取得するステップと、
前記予約利用により前記施設を利用する予約利用者の、前記利用予定時刻を含む予約情報を取得するステップと、
取得された前記出場予定時刻及び前記予約情報に基づいて、前記施設の前記利用スペースの予約状況を管理するステップと
をコンピュータに実行させるプログラム。
【発明の詳細な説明】
【技術分野】
【０００１】
本発明は、複数の利用スペースを有し、事前に利用予定時刻を登録する予約利用と、事前に利用予定時刻を登録しない一般利用とが可能な駐車場等の施設を管理する施設管理装置、施設管理方法及びプログラムに関する。
【背景技術】
【０００２】
従来、駐車場等の施設の利用に際して、利用者の携帯端末やパーソナルコンピュータ（Personal Computer: ＰＣ）等からの予約を受け付け、予約した利用者の車両を優先的に受け入れる駐車場管理システムが提案されている。
【０００３】
例えば、特許文献１には、駐車を希望する車の車両ナンバーを予め駐車場へ送信し、送信された車両ナンバーと車の到着時に撮像した車両ナンバーとを照合することで、駐車場への入場を許可する駐車場管理システムが記載されている。
【０００４】
また特許文献２には、予約駐車時間に対する実駐車時間の分布を表す実駐車時間分布データから予約駐車時間で予約した車両の駐車継続傾向を予測し、該予測した駐車継続傾向に基づいて駐車場の予約台数を予測する予約台数予測部と、予約台数予測部によって予測された予約台数をもとに、駐車場の予約受付の可否を判定する予約受付可否判定部と、予約受付可否判定部によって駐車場の予約受付が可能であると判定された場合に、当該駐車場の予約を受け付ける予約管理部とを備えた駐車場予約管理装置が記載されている。
【先行技術文献】
【特許文献】
【０００５】
【特許文献１】特開２００４−１１０６２５号公報
【特許文献２】特開２００６−２１５６０９号公報
【発明の概要】
【発明が解決しようとする課題】
【０００６】
しかしながら、特許文献１では、予約車以外の一般車の受け入れに対しては言及されていなかった。
また、特許文献２では、予約台数予測部の予測精度によっては駐車スペースの効率的な利用が難しくなる可能性もあった。
【０００７】
以上のような事情に鑑み、本発明の目的は、施設の利用効率を高めることが可能な施設管理装置、施設管理方法及びプログラムを提供することにある。
【課題を解決するための手段】
【０００８】
上記目的を達成するため、本発明の一形態に係る施設管理装置は、複数の利用スペースを有し、事前に利用予定時刻を登録する予約利用と、事前に利用予定時刻を登録しない一般利用とが可能な施設を管理する施設管理装置であって、出場予定時刻取得部と、予約情報取得部と、予約状況管理部とを具備する。
前記出場予定時刻取得部は、前記一般利用により前記施設を利用する一般利用者の前記施設からの出場予定時刻を取得する。
前記予約情報取得部は、前記予約利用により前記施設を利用する予約利用者の、前記利用予定時刻を含む予約情報を取得する。
前記予約状況管理部は、取得された前記出場予定時刻及び前記予約情報に基づいて、前記施設の前記利用スペースの予約状況を管理する。
【０００９】
前記予約状況管理部は、
取得された前記出場予定時刻及び前記予約情報に基づいて、前記予約利用者が利用予定の予約スペースを管理してもよい。
【００１０】
上記予約状況管理部は、
取得された前記出場予定時刻及び前記予約情報に基づいて、現在時刻において確保すべき前記予約スペースの数を予約スペース数として算出し、
前記施設管理装置は、
前記施設を利用中の前記予約利用者及び前記一般利用者についての情報である利用情報を取得する利用情報取得部と、
現在時刻における前記予約スペース数と前記利用情報とに基づいて、前記一般利用者の利用が可能な前記利用スペースの数を一般利用可能スペース数として算出する一般利用管理部をさらに具備してもよい。
【００１１】
前記一般利用管理部は、
前記一般利用可能スペース数が所定の閾値以下の場合に、前記一般利用者の入場を規制してもよい。
【００１２】
前記予約状況管理部は、
取得された前記出場予定時刻及び前記予約情報に基づいて、各時刻において確保すべき前記予約スペースの数を予約スペース数として算出し、
前記施設管理装置は、
前記予約スペース数に基づいて、前記予約利用者から申請された入場予定時刻における予約の受付の可否を判定する予約受付判定部をさらに具備してもよい。
【００１３】
前記施設管理装置は、
前記出場予定時刻を申請した前記一般利用者の実際の出場時刻を取得する出場情報取得部と、
取得された前記出場時刻に基づいて、前記一般利用者に報奨を付与するか否か判定する報奨付与判定部と
をさらに具備してもよい。
【００１４】
前記報奨付与判定部は、
前記出場予定時刻と前記出場時刻との差異が所定の時間以下であった場合に、前記一般利用者に報奨を付与すると判定してもよい。
【００１５】
前記報奨付与判定部は、
前記駐車場が混雑している場合であって、取得された前記出場時刻が前記出場予定時刻以前の所定範囲の時刻である場合に、前記一般利用者に報奨を付与すると判定してもよい。
【００１６】
前記出場予定時刻取得部は、前記一般利用者の所持する携帯端末から、前記一般利用者を識別する識別情報に対応付けられた前記出場予定時刻を受信してもよい。
【００１７】
本発明の他の実施形態に係る施設管理方法は、複数の利用スペースを有し、事前に利用予定時刻を登録する予約利用と、事前に利用予定時刻を登録しない一般利用とが可能な施設を管理する施設管理方法であって、
前記一般利用により前記施設を利用する一般利用者の前記施設からの出場予定時刻を取得し、
前記予約利用により前記施設を利用する予約利用者の、前記利用予定時刻を含む予約情報を取得し、
取得された前記出場予定時刻及び前記予約情報に基づいて、前記施設の前記利用スペースの予約状況を管理する。
【００１８】
本発明のさらに他の実施形態に係るプログラムは、複数の利用スペースを有し、事前に利用予定時刻を登録する予約利用と、事前に利用予定時刻を登録しない一般利用とが可能な施設を管理する施設管理方法をコンピュータに実行させるプログラムであって、
前記一般利用により前記施設を利用する一般利用者の前記施設からの出場予定時刻を取得するステップと、
前記予約利用により前記施設を利用する予約利用者の、前記利用予定時刻を含む予約情報を取得するステップと、
取得された前記出場予定時刻及び前記予約情報に基づいて、前記施設の前記利用スペースの予約状況を管理するステップと
をコンピュータに実行させる。
【発明の効果】
【００１９】
以上のように、本発明によれば、施設の利用効率を高めることが可能な施設管理装置、施設管理方法及びプログラムを提供することができる。
【図面の簡単な説明】
【００２０】
【図１】本発明の第１の実施形態に係る駐車場管理システム（施設管理システム）の構成例を示す概略図である。
【図２】上記駐車場管理システムに含まれる駐車場装置の構成例を示すブロック図である。
【図３】上記駐車場装置に含まれる駐車場サーバの機能構成例を示すブロック図である。
【図４】上記駐車場サーバの在車データベースに格納される在車情報の一例を示す図である。
【図５】上記駐車場管理システムに含まれる携帯端末の構成例を示すブロック図である。
【図６】上記携帯端末の機能構成例を示すブロック図である。
【図７】上記駐車場管理システムに含まれる駐車場管理装置の機能構成例を示すブロック図である。
【図８】上記駐車場管理装置の予約データベースに格納される予約情報の一例を示す図である。
【図９】上記駐車場管理装置による予約状況管理及び一般車入場規制判定の処理の一例を示すフローチャートである。
【図１０】一般利用者に対し駐車場の入場時に発行された駐車券の一例を示す図である。
【図１１】上記携帯端末に表示された、駐車場予約管理サービスのＷｅｂページ及びアプリケーションの画面の一例を示す図である。
【図１２】上記予約データベースに格納された予約テーブルの一例を示す図である。
【図１３】上記駐車場管理装置による予約車室数及び一般利用可能車室数の実際の算出処理例を説明するための表である。
【図１４】図１３の各データを視覚的に表したグラフであり、横軸が時刻、縦軸が車室数を示す。
【図１５】上記在車データベースに格納された在車テーブルの一例を示す図である。
【図１６】本実施形態の比較例に係る駐車場管理装置における、一般車からの出場予定時刻を用いない場合の予約車室数及び一般利用可能車室数等の算出処理例を説明するための表である。
【図１７】図１６の各データを視覚的に表したグラフであり、横軸が時刻、縦軸が車室数を示す。
【図１８】本発明の第２の実施形態に係る駐車場管理装置の機能構成例を示すブロック図である。
【図１９】本発明の第３の実施形態に係る駐車場管理装置の機能構成例を示すブロック図である。
【図２０】本発明の第４の実施形態に係る駐車場管理装置の機能構成例を示すブロック図である。
【図２１】上記駐車場管理装置による予約状況管理及び一般車入場規制判定の処理の一例を示すフローチャートである。
【発明を実施するための形態】
【００２１】
以下、図面を参照しながら、本発明の実施形態を説明する。
【００２２】
図１は、本発明の第１の実施形態に係る駐車場管理システムの構成例を示す概略図である。駐車場管理システム１００は、駐車場装置１０と、携帯端末３０と、駐車場管理装置５０とを有する。駐車場管理システム１００は、本発明に係る施設管理システムの一実施形態として機能する。
【００２３】
駐車場管理システム１００は、本実施形態において、複数の車室（利用スペース）を有し、予約利用と一般利用とが可能な駐車場に対して、効率よく利用者を受け入れることができるように管理するシステムである。駐車場管理システム１００は、駐車場の利用者に対し、駐車場の予約等が可能な駐車場予約管理サービスを提供する。
なお、予約利用とは、事前に利用予定時刻を登録して駐車場を利用する利用形態をいい、予約利用により駐車場を利用する利用者を予約利用者と称する。一般利用とは、事前に利用予定時刻を登録しないで駐車場を利用する利用形態をいい、一般利用により駐車場を利用する利用者を一般利用者と称する。また、予約利用者の乗車する車両を「予約車」、一般利用者の乗車する車両を「一般車」と称する。
【００２４】
駐車場装置１０は、各駐車場に設置される装置である。
携帯端末３０は、駐車場の利用者により使用される端末である。
駐車場管理装置５０は、本実施形態に係る駐車場予約管理サービスをＷｅｂサービスとして提供することが可能に構成される。駐車場管理装置５０は、例えば、駐車場予約管理サービスの会員からの各駐車場の予約を受け付けて、各時刻における各駐車場の車室の利用状況等を管理する。駐車場管理装置５０は、ネットワーク１を介して当該サービスに係るＷｅｂページの閲覧やプログラム（アプリケーション）を携帯端末３０に配信することが可能に構成される。
【００２５】
さらに駐車場管理システム１００は、管理機関端末６０と、決済機関６５が有する決済サーバ装置（図示せず）とを有する。
【００２６】
管理機関端末６０は、駐車場オーナーから駐車場の管理業務を委託された管理機関のオペレーターにより使用される。オペレーターにより、例えば日常の問い合わせ対応、ユーザ対応、駐車場装置１０の故障時の保守メンテ作業の情報提供等が行われる。管理機関端末６０としては、ＰＣやタブレット端末等が用いられる。
【００２７】
なお駐車場を所有するオーナー自身で、駐車場の管理業務を行う場合もある。この場合、オーナーが所有する端末が管理機関端末６０として機能し得る。また管理業務を委託された管理機関が駐車場管理装置５０を保有し、本実施形態に係る駐車場予約管理サービスを提供することもあり得る。
【００２８】
決済機関６５は、例えば銀行や信販会社等であり、銀行振り込みやクレジットカード決済等により駐車料金の決済（精算）を実行する。駐車場管理装置５０は、決済機関６５の決済サーバ装置に対して、駐車料金の精算の指示や、精算が済んでいるか否か等の精算情報の問い合わせ等を実行する。
【００２９】
駐車場管理システム１００を構成する端末及び装置は、ネットワーク１を介して相互に通信可能に接続されている。ネットワーク１は、例えばインターネットや広域通信回線網等により構築される。その他、任意のＷＡＮ（Wide Area Network）やＬＡＮ（Local Area Network）等が用いられてよく、ネットワーク１を構築するためのプロトコルは限定されない。
【００３０】
図２は、駐車場Ａに設置される駐車場装置１０の構成例を示すブロック図である。
駐車場装置１０は、本実施形態において、駐車場サーバ１１と、入口駐車券発行機（駐車券発行機）１７と、入口ゲート開閉機１８と、入場レーンカメラ１９と、出口精算機２０と、出口ゲート開閉機２１と、出場レーンカメラ２２と、満車表示機２３とを備える。駐車場装置１０を構成する各装置は、駐車場Ａ内に設置された構内ＬＡＮを介して、互いに通信可能に接続されている。駐車場装置１０は、本実施形態に係る駐車場予約管理サービスの会員に対し、駐車場管理装置５０と協働して当該サービスの少なくとも一部を提供することが可能に構成される。
【００３１】
駐車場Ａは、利用者を入場させる入場レーンと、利用者を出場させる出場レーンとを有する。駐車場Ａは、例えば予約利用用及び一般利用用の複数の入場レーンを有していてもよい。
駐車券発行機１７、入口ゲート開閉機１８及び入場レーンカメラ１９は、各入場レーンに設置される。
出口精算機２０、出口ゲート開閉機２１及び出場レーンカメラ２２は、出場レーンに設置される。
満車表示機２３は、駐車場の外部の、入場レーンから入場する車両に見える位置に設置される。
駐車場サーバ１１は、駐車場内に適宜設置される。
【００３２】
駐車券発行機１７は、駐車場を利用する利用者への駐車券の発行等を実行する。駐車券発行機１７の前面には、例えば駐車券の発行口や表示部、駐車券発行ボタン等が設けられる。なお、本実施形態において、駐車場予約管理サービスの会員に対しては駐車券を発行せずに入場させることができ、その場合は仮想的な駐車券番号が付与される。
入口ゲート開閉機１８は、駐車券発行機１７に接続され、入場レーンに設置される入口ゲートの開閉を制御する。
入場レーンカメラ１９は、入場レーン付近に設置され、入場する車両のナンバーを撮像する。撮像された車両ナンバーは、ＯＣＲ（光学読み取り）処理等により文字化して、後述する在車データベース（ＤＢ：Database）や予約ＤＢに格納される。
【００３３】
出口精算機２０は、駐車場を利用する利用者に駐車料金の精算を実行する。出口精算機２０の前面には、駐車券の挿入口、紙幣・硬貨投入口、表示部、領収証発行ボタン、釣り銭や領収証の取出口等が設けられる。なお本実施形態では、駐車場予約管理サービスの会員であれば出場前に携帯端末３０のアプリケーションを介した精算も可能であり、この場合出口精算機２０は、既に料金を徴収した旨を表示等して駐車料金の精算処理は行わない。
出口ゲート開閉機２１は、出口精算機２０に接続され、出場レーンに設置される出口ゲートの開閉を制御する。
出場レーンカメラ２２は、出場レーン付近に設置され、出場する車両のナンバーを撮像する。
【００３４】
満車表示機２３は、駐車場Ａへ入場しようとする一般利用者に対し、駐車場Ａの入場規制の有無を表示するものである。具体的には、満車表示機２３は、一般利用者の入場規制がされている場合に「満車」と表示する。表示方法は特に限定されず、例えば、満車時に「一般車満車」という表示が点灯するように構成される。
【００３５】
駐車場サーバ１１は、構内通信部１２と、制御部１３と、記憶部１４と、外部通信部１５とを有する。
構内通信部１２は、構内ＬＡＮに接続され、駐車券発行機１７、入場レーンカメラ１９、出口精算機２０、出場レーンカメラ２２及び満車表示機２３と通信可能に構成される。
制御部１３は、ＣＰＵ（Central Processing Unit）として構成される。
記憶部１４は、例えばＲＯＭ（Read Only Memory）、ＲＡＭ（Random Access Memory）、フラッシュメモリ等から構成され、駐車場Ａに関する種々の情報や、本駐車場予約管理サービスを運用するためのプログラム等が記憶される。記憶部１４は、例えば、後述する在車ＤＢ（Database）１６を記憶している。
外部通信部１５は、ネットワーク１に接続され、駐車場管理装置５０等の他のデバイスと通信可能である。外部通信部１５により、駐車場装置１０を構成する各デバイスは、構内ＬＡＮ及び駐車場サーバ１１を介して、ネットワーク１上のデバイスと通信可能となる。
【００３６】
図３は、駐車場サーバ１１の機能構成例を示すブロック図である。
駐車場サーバ１１は、予約情報受信部１０１と、入場管理部１０２と、在車情報管理部１０３と、在車情報送信部１０４と、料金管理部１０５と、満車表示制御部１０６と、精算受付部１０７と、を有する。これらのブロックは、制御部１３が所定のプログラムを実行することで構成される。なお各ブロックを実現するためにＩＣ（集積回路）等の専用のハードウェアが適宜用いられてもよい。
【００３７】
予約情報受信部１０１は、駐車場管理装置５０から駐車場Ａの予約に関する情報を予約情報として受信する。予約情報は、例えば、予約利用者を識別する情報（例えば駐車場予約管理サービスの会員番号や車両のナンバー等）と、これに対応付けられた利用予定時刻等の情報を含む。利用予定時刻は、本実施形態において、入場予定時刻及び出場予定時刻を含む。予約情報受信部１０１は、所定のタイミング（例えば１日１回）で駐車場Ａから予約情報を受信してもよいし、駐車場管理装置５０が新規の予約を受け付ける毎に予約情報を受信してもよい。
【００３８】
入場管理部１０２は、駐車場Ａへの車両の入場を管理する。例えば、入場管理部１０２は、入場レーンから入場しようとする車両が予約車であるか否か判定する。入場管理部１０２は、例えば、入場レーンカメラ１９によって撮像された車両のナンバーと予約情報に含まれる車両のナンバーとを照合し、予約車であるか否か判定してもよい。あるいは、入場管理部１０２は、携帯端末３０に表示又は印刷等された予約確認票を読み取り、予約情報に含まれる予約利用者を識別する情報と照合することで、予約車であるか否か判定してもよい。
【００３９】
さらに入場管理部１０２は、入場しようとする車両が一般車であると判定され、かつ駐車場管理装置５０から一般利用者の入場を規制する入場規制情報を受信した場合には、入口ゲート開閉機１８を閉鎖し、当該一般車の入場を規制することができる。一方で入場管理部１０２は、駐車場管理装置５０から入場許可情報を受信した場合には、入口ゲート開閉機１８を開放し、一般車の入場を許可することができる。
【００４０】
在車情報管理部１０３は、駐車場を利用中の予約利用者及び一般利用者についての情報を在車情報（利用情報）として管理する。在車情報は、在車ＤＢ１６に格納される。
在車情報は、入場レーンを通過した車両についての入場情報と、出場レーンを通過した車両についての出場情報とを含んでいてもよい。入場情報は、例えば入場した利用者を識別する情報と、これに対応付けられた、一般車又は予約車のいずれであるかの情報、駐車券番号、及び入場時刻の情報等を含む。出場情報は、例えば出場した利用者を識別する情報と、これに対応付けられた一般車又は予約車のいずれであるかの情報、精算時刻の情報、精算料金の情報、及び出場時刻の情報等を含む。利用者を識別する情報としては、例えば、駐車場予約管理サービスの会員番号、車両ナンバー及び駐車券番号等を用いることができる。
なお以下の説明において、「時刻」は、年月日の情報も含んでいてもよい。
【００４１】
在車情報管理部１０３は、入場情報及び出場情報に基づいて、在車ＤＢ１６に格納された在車情報を更新することができる。
【００４２】
図４は、在車ＤＢ１６に格納される在車情報の一例を示す図である。当該在車情報は、駐車券番号、入場時刻、車両ナンバー、出場予定時刻、精算時刻、精算料金、及び出場時刻等の情報を含む。
【００４３】
在車情報送信部１０４は、在車情報を駐車場管理装置５０に送信する。在車情報送信部１０４は、所定のタイミングで在車情報を送信してもよいが、好適には在車情報が更新されるたびに在車情報を送信するのがよい。
【００４４】
料金管理部１０５は、出口精算機２０に駐車料金の精算処理を実行させ、かつ、出口精算機２０に投入された料金やつり銭の管理等を行う。
【００４５】
満車表示制御部１０６は、後述する駐車場管理装置５０により判定される一般利用者の入場を規制する入場規制情報に基づいて、満車表示機２３の表示を制御する。例えば、駐車場管理装置５０から一般車の入場を規制するという判定結果を受信した場合、満車表示制御部１０６は、満車表示機２３の「一般車満車」という表示を点灯させる。また、駐車場管理装置５０から一般車の入場規制を解除するという判定結果を受信した場合、満車表示制御部１０６は、満車表示機２３の「一般車満車」という表示を消灯させる。
【００４６】
精算受付部１０７は、例えば駐車場予約管理サービスに係るアプリケーションを介して携帯端末３０から送信された精算要求を受け付け、駐車料金の精算処理を実行する。本実施形態では、出口精算機２０による精算も勿論可能であるが、駐車場予約管理サービスの会員であれば、出場前に上記アプリケーションを介した精算が可能である。この場合の駐車料金の精算方法は限定されず、クレジットカード決済、デビッドカード決済や電子マネーによる支払い、駐車場予約管理サービスにおいて用いられるポイントによる精算等、任意の精算方法が適用され得る。クレジットカード決済の場合には、精算処理に関する情報が図１の決済機関６５に送信される。
【００４７】
図５は、駐車場を利用する利用者の携帯端末３０の構成例を示すブロック図である。
携帯端末３０は、ＣＰＵ３１と、メモリ３２と、これらとバス３３を介して接続されるインターフェイス３４とを有する。メモリ３２は、例えばＲＯＭ、ＲＡＭ、フラッシュメモリ等から構成され、本駐車場予約管理サービスを利用するためのプログラム（アプリケーション）や、利用者に関するデータ等、種々のデータが記憶される。
アプリケーションは、典型的には、ネットワーク１を介して携帯端末３０にインストールされる。その他、コンピュータ読み取り可能な非一過性の任意の記憶媒体を介して、インストールが実行されてもよい。
【００４８】
インターフェイス３４には、表示部３５、操作部３６、スピーカ３７、マイク３８、通信部３９及びカメラ４０が接続される。各ブロックの動作は、所定のプログラムに従って動作するＣＰＵ３１により制御される。インターフェイス３４には、各種センサやBluetooth（登録商標）モジュール等が接続されていてもよい。
【００４９】
表示部３５は、例えば液晶、ＥＬ（Electro-Luminescence）等を用いた表示デバイスであり、本駐車場予約管理サービスに関するＷｅｂページや種々のＧＵＩ（Graphical User Interface）等が表示される。操作部３６は、例えばキーボード、ポインティングデバイス、タッチパネル、その他の操作装置である。操作部３６がタッチパネルを含む場合、そのタッチパネルは表示部３５と一体となり得る。
【００５０】
スピーカ３７からは、例えば通話音声、音声ガイダンス、アラーム音、音楽コンテンツ等が出力される。マイク３８は、通話や声による指示の入力等を行う際に利用される。
【００５１】
通信部３９は、ネットワーク１を介して、駐車場管理装置５０等の他の装置と通信するための通信モジュールであり、例えばＷｉＦｉ等の無線ＬＡＮモジュールや、３Ｇや４Ｇといった移動通信システム対応モジュールが用いられる。
【００５２】
カメラ４０は、画像を撮像する撮像装置である。
【００５３】
図６は、携帯端末３０の機能構成例を示すブロック図である。携帯端末３０は、配信情報受信部３０１と、利用予約送信部３０２と、駐車券情報読取部３０３と、出場予約送信部３０４と、精算要求部３０５とを有する。これらのブロックは、ＣＰＵ３１が所定のプログラムを実行することで構成され、本実施形態に係る駐車場管理アプリケーション等の動作が実現される。なお各ブロックを実現するためにＩＣ（集積回路）等の専用のハードウェアが適宜用いられてもよい。
【００５４】
配信情報受信部３０１は、駐車場管理装置５０から配信された駐車場予約管理サービスに関する情報を受信する。当該情報は、当該サービスのアプリケーション、当該サービスに関するプッシュ通知、メール等を含んでいてもよい。
【００５５】
利用予約送信部３０２は、駐車場の利用予約についての予約情報を送信する。予約情報は、例えば、上記アプリケーションの予約専用画面等を介して入力され、例えば、予約利用者を識別する情報（駐車場予約管理サービスの会員番号等）、予約する駐車場名、利用予定時刻等の情報を含む。
【００５６】
駐車券情報読取部３０３は、駐車券に印刷された駐車場予約管理サービスのＷｅｂページのＵＲＬ（Uniform Resource Locator）に関する情報を読み取る。具体的には、駐車券情報読取部３０３は、カメラ４０により２次元コード等を撮像し、当該２次元コード等に格納されたＵＲＬに関する情報を読み取ることができる。これにより、駐車場の利用者は、当該Ｗｅｂページに容易にアクセスすることができ、駐車場予約管理サービスの会員登録や、後述する出場予定時刻の入力等を行うことができる。
【００５７】
出場予約送信部３０４は、予約せずに一般利用者として駐車場を利用中の利用者により入力された出場予定時刻を送信する。出場予定時刻は、例えば、上記アプリケーションの入力画面や、駐車券情報読取部３０３によりアクセスされて表示された駐車場予約管理サービスのＷｅｂページ等を介して入力することができる。
【００５８】
精算要求部３０５は、駐車場を利用予約した場合に、上記アプリケーション等を介して、駐車場装置１０等に対し駐車料金の精算処理を要求する。
【００５９】
図１を参照し、駐車場管理装置５０は、本実施形態において、複数のサーバ装置（Ｗｅｂ／ＡＰＩサーバ，ＤＢサーバ，メールサーバ等）５１と、データベース（ＤＢ）５２とを有する。駐車場管理装置５０は、本実施形態に係る駐車場予約管理サービスをＷｅｂサービスとして提供可能であり、ネットワーク１を介して当該サービスに係るプログラム（アプリケーション）を携帯端末３０等に配信することが可能である。
【００６０】
各サーバ装置５１は、ＣＰＵ、ＲＯＭ、ＲＡＭ、ＨＤＤ等のコンピュータの構成に必要なハードウェアを有する。サーバ装置５１として、例えばＰＣ（Personal Computer）等の任意のコンピュータが用いられる。
【００６１】
ＤＢ５２は駐車場管理装置５０の記憶部として機能し、本駐車場予約管理サービスに関する種々の情報を記憶する。例えばＤＢ５２内には、各駐車場の、在車ＤＢ（図４参照）、予約ＤＢ（図８参照）、会員登録ＤＢ、オーナー情報ＤＢ、種々の履歴ＤＢ、管理情報ＤＢ等の、種々のＤＢが構築される。これらのＤＢの少なくとも一部は、各駐車場装置１０の記憶部１４と共有される。
【００６２】
各種のＤＢは、駐車場管理装置５０内のＤＢサーバにより包括的に管理され、例えば駐車場予約管理サービスを利用する利用者の会員登録及び退会、駐車場の予約受付、各駐車場のオーナー情報の登録及び保管、運営収支情報の記録及び保管等が実行される。また、駐車場管理装置５０内のＷｅｂ／ＡＰＩサーバでは、各駐車場の満空車情報の収集及び出力、駐車場装置１０のエラー履歴や釣銭管理状況の収集及び記録、管理機関端末６０からの遠隔操作の中継等が実行される。
【００６３】
図７は、駐車場管理装置５０の機能構成例を示すブロック図である。
駐車場管理装置５０は、予約情報取得部５０１と、予約情報送信部５０２と、出場予定時刻取得部５０３と、予約状況管理部５０４と、在車情報取得部（利用情報取得部）５０５と、一般利用管理部５０６と、会員情報管理部５０７と、を有する。
【００６４】
予約情報取得部５０１は、利用予定時刻を含む予約利用者の駐車場の予約に関する情報を予約情報として取得する。予約情報は、予約利用者を識別する情報と、これに対応付けられた利用予定時刻等の情報を含む。予約情報は、さらに駐車場名、車両ナンバー等を含んでいてもよい。本実施形態における予約利用者は、駐車場予約管理サービスの会員であるため、予約利用者を識別する情報として、例えば駐車場予約管理サービスの会員番号を用いることができる。
予約情報の取得方法としては、例えば、携帯端末３０に配信されたアプリケーションを介して入力された情報を受信する方法を挙げることができる。
取得された予約情報は、予約ＤＢに反映される。予約情報取得部５０１は、予約情報の一部を会員登録ＤＢ等から予約利用者を識別する情報と照合して取得してもよい。
【００６５】
図８は、予約ＤＢに格納される予約情報の一例を示す図である。予約情報は、予約番号、駐車場名、会員番号、駐車券番号、車両ナンバー、入場予定時刻及び出場予定時刻等の情報を含む。
予約番号は、予約情報取得部５０１によって予約受付時に付与される番号であり、典型的には予約を受け付けた順に付与される。
会員番号は、駐車場予約管理サービスの会員番号である。当該会員番号は、会員である利用者の携帯端末３０の識別情報やその他の情報とともに会員登録ＤＢに記憶される。
駐車券番号は、予約車（又は一般車）が入場した場合に発行された駐車券の番号であり、駐車券が発行されない上記会員に対しては仮想的な駐車券番号となる。
【００６６】
予約情報送信部５０２は、取得した予約情報の一部を駐車場装置１０に送信する。
【００６７】
出場予定時刻取得部５０３は、駐車場Ａを駐車中の一般利用者からの出場予定時刻を取得する。
出場予定時刻取得部５０３は、本実施形態において、一般利用者の所持する携帯端末３０から、一般利用者を識別する識別情報に対応付けられた出場予定時刻を受信することができる。具体的には、一般利用者は、駐車場予約管理サービスの会員登録を行い、駐車場予約管理サービスのアプリケーションを介して出場予定時刻を登録することができる。この場合、上記識別情報は、駐車場予約管理サービスの会員番号でもよい。なお、一般利用者からの出場予定時刻を取得する場合は、会員登録は必須ではない。このため、会員番号に代えて駐車券番号を識別情報として扱ってもよい。
【００６８】
予約状況管理部５０４は、予約情報と一般利用者から取得した出場予定時刻とに基づいて、各時刻における駐車場の車室（利用スペース）の予約状況を管理する。これにより、予約利用者からの入場予定時刻及び出場予定時刻だけでなく、一般利用者から取得した出場予定時刻を含めて予約状況を管理することができる。
【００６９】
また、予約状況管理部５０４は、予約ＤＢに一般利用者から取得した出場予定時刻を反映させることができる。これにより、一般利用者から取得した出場予定時刻の情報を、予約利用者から取得した情報とともに取り扱うことができる。
【００７０】
予約状況管理部５０４は、例えば、予約情報と一般利用者から取得した出場予定時刻とに基づいて、予約利用者が利用予定の予約車室（予約スペース）を管理することができる。具体的には、予約状況管理部５０４は、各時刻において確保すべき予約車室の数を予約車室数として算出することができる。
【００７１】
在車情報取得部５０５は、駐車場を利用中の予約利用者及び一般利用者についての情報である在車情報（利用情報）を取得する。本実施形態において、在車情報取得部５０５は、駐車場装置１０から在車情報を受信する。在車情報取得部５０５は、所定のタイミングで在車情報を受信してもよいし、駐車場装置１０の在車ＤＢ１６が更新されるたびに在車情報を受信してもよい。受信された在車情報は、ＤＢ５２の在車ＤＢに格納され、当該在車ＤＢが更新される。
【００７２】
一般利用管理部５０６は、予約状況管理部５０４の算出した予約車室数に基づいて、各時刻における一般利用者の利用が可能な車室の数を一般利用可能車室数として算出することができる。
さらに一般利用管理部５０６は、駐車場の全車室数と、現在時刻において確保している予約車室数と、現在時刻において利用されている車室数である実在車数とに基づいて、一般利用者の入場を規制するか否か判定することができる。一般利用管理部５０６は、一般利用者の入場規制に関する判定結果や、算出された一般利用可能車室数を、駐車場装置１０に送信することができる。
【００７３】
会員情報管理部５０７は、駐車場予約管理サービスの会員登録や退会等の処理を受け付け、取得した情報を会員ＤＢに反映させる。
【００７４】
図９は、駐車場Ａを管理する駐車場管理装置５０による予約状況管理及び一般車入場規制判定の処理の一例を示すフローチャートである。ここでは、全車室数が１００台である駐車場Ａの予約状況の管理等の処理を行う場合について説明する。
【００７５】
まず、予約情報取得部５０１が、入場予定時刻を含む、予約利用者の駐車場の予約に関する情報を予約情報として取得する（ステップ１０１）。取得された予約情報は、予約ＤＢに反映される。
【００７６】
続いて、出場予定時刻取得部５０３が、駐車場Ａに駐車中の一般利用者から出場予定時刻を取得する（ステップ１０２）。出場予定時刻取得部５０３は、駐車場予約管理サービスのアプリケーションを介して入力され送信された出場予定時刻を取得する。本動作例では、一般利用者が入場時に駐車場予約管理サービスの会員登録をしていない場合、当該一般利用者が駐車場Ａの入場時に発行された駐車券に含まれるＵＲＬを読み取って駐車場予約管理サービスのＷｅｂページにアクセスすることができる。これにより、入場時に駐車場予約管理サービスの会員でない一般利用者に対しても、出場予定時刻の申請を促すことができる。
【００７７】
図１０は、一般利用者に対して駐車場Ａの入場時に発行された駐車券の一例を示す図である。
駐車券Ｔは、磁気ストライプＴ１１と、印字部Ｔ１２と、２次元コードＴ１３とを含む。
磁気ストライプＴ１１は、駐車場番号や所定の入場情報を格納する。
印字部Ｔ１２には、駐車券番号、駐車場予約管理サービスの会員番号、車両ナンバー、及び入場時刻等の入場情報、並びに駐車場予約管理サービスの会員登録方法の説明等が印字されている。
２次元コードＴ１３は、駐車場予約管理サービスのＷｅｂページのＵＲＬの情報を含むものであり、例えばＱＲコード（登録商標）で構成される。
【００７８】
図１１は、携帯端末３０に表示された、駐車場予約管理サービスのＷｅｂページの一例を示す図である。
図１１Ａは、２次元コードＴ１３の読み取り直後に表示される駐車場予約管理サービスのＷｅｂページの一例であって、アプリケーションのダウンロード及び会員登録を促す画面３５１を示す図である。
【００７９】
図１１Ｂは、ダウンロードされた駐車場予約管理サービスのアプリケーションにおいて、利用者が駐車場Ａを利用中である場合に表示される入場処理完了画面３５２を示す図である。入場処理完了画面３５２には、入場時刻や駐車時間、現在時刻における駐車料金、割引の有無等が表示されている。また、入場処理完了画面３５２は、出場予約登録ボタン３５３を含む。出場予約登録ボタン３５３をタッチ等により指定することで、一般車の出場予約時刻の登録（申請）が可能となる。
【００８０】
図１１Ｃは、上記アプリケーションにおける、一般車の出場予約時刻を登録するための出場予約登録画面３５４を示す図である。出場予約登録画面３５４は、出場予定時刻入力欄３５５を有する。一般利用者は、携帯端末３０の操作部３６を用いて当該入力欄３５５に出場予定時刻を入力することができる。出場予約登録画面３５４は、さらに出場予定時刻送信ボタン３５６を含む。一般利用者は、入力欄３５５に出場予定時刻を入力後、当該ボタン３５６を指定することで、出場予定時刻を登録することができる。入力された出場予定時刻は、駐車場管理装置５０に送信される。これにより、出場予定時刻取得部５０３が出場予定時刻を取得することができる。
【００８１】
続いて、予約状況管理部５０４が、一般利用者から取得した出場予定時刻を予約ＤＢに反映させる（ステップ１０３）。
【００８２】
図１２は、予約ＤＢに格納された予約テーブルの一例を示す図である。
予約テーブルには、駐車場Ａの予約利用者の予約情報と、さらに駐車場Ａを利用中の一般利用者から取得した出場予定時刻の情報と、が格納されている。具体的には、予約テーブルは、利用者を識別する駐車場予約管理サービスの会員番号と、それに対応付けられた、予約した駐車場名（ここでは駐車場Ａ）、発行された駐車券番号、車両ナンバー、入場予定時刻、出場予定時刻、及び実際の入場時刻とを含む。また、予約事象毎に、予約番号が付与されている。
【００８３】
なお、駐車券番号において、Ｐから始まる番号は、駐車場Ａを定期利用可能な定期券の番号を示し、Ｖから始まる番号は、駐車券が発行されない駐車場予約管理サービスの会員に対する仮想的な駐車券番号を示す。
【００８４】
図１２の予約番号００００５０１１及び００００５０１４の利用者は、事前に予約をしたものの現在時刻において未入場であるため、駐車券番号と入場時刻の欄が空欄になっている。
また、予約番号００００５０１２の利用者は、予約をしており、かつ、現在時刻において駐車場Ａを利用中であるため、発行された仮想的な駐車券番号と入場時刻の情報が登録されている。
予約番号００００５０１３及び００００５０１５の利用者は、予約はしていないので入場予定時刻の欄は空欄であるが、一般利用者として駐車場Ａを利用中であり、かつ、出場予定時刻を登録している。
【００８５】
続いて、予約状況管理部５０４が、予約テーブルを参照し、各時刻において予約利用者が利用予定の予約車室の数を、予約車室数として算出する（ステップ１０４）。予約状況管理部５０４は、図１２に示した予約テーブルに格納されたデータに基づいて、各時刻の予約車室数を算出することができる。
【００８６】
図１３は、予約車室数及び後述する一般利用可能車室数の実際の算出処理例を説明するための表であり、各時刻に対する予約利用予定車室数、一般車出場予定数、予約車室数、実在車数及び一般利用可能車室数が記載されている。
図１４は、図１３の各データを視覚的に表したグラフであり、横軸が時刻、縦軸が車室数を示す。また、各時刻において、紙面向かって左側のバーは、予約利用予定車室数、利用予定車室数及び予約車室数の関係について示し、紙面向かって右側のバーは、実在車数及び一般利用可能車室数の関係について示す。
これらの図を参照し、予約状況管理部５０４による予約車室数の算出例について説明する。なお、現在時刻は１０時３０分であるものとする。
【００８７】
まず予約状況管理部５０４は、予約情報に基づいて、各時刻の予約利用予定車室数を算出する。予約利用予定車室数は、全予約車が登録した利用予定時刻の間駐車場を利用すると仮定した場合に、各時刻において予約車により利用される予定の車室数である。図１３及び図１４に示す例では、予約利用予定車室数は、１２時００分に３０台となってピークとなる予定である。
【００８８】
続いて予約状況管理部５０４は、一般利用者から取得した出場予定時刻に基づいて、各時刻における出場予定の一般車の数を一般車出場予定数として算出する。図１３及び図１４に示す例では、１０時の一般車出場予定数が「２」と算出されているが、これは、９時３０分から１０時００分までの時間帯に２台の一般車が出場予定であることを示す。
【００８９】
続いて予約状況管理部５０４は、各時刻における一般車の出場予定数を考慮した利用予定車室数を算出する。利用予定車室数は、予約利用予定車室数から一般車出場予定数を減じることで算出され、各時刻において利用が予定されている車室の車室数を表すものである。
【００９０】
そして予約状況管理部５０４は、利用予定車室数がピークとなる時刻のピーク時利用予定車室数Ｐ１から、各時刻の利用予定車室数を減じることで、各時刻の予約車室数を算出する。
図１３及び図１４に示す例では、１２時００分の利用予定車室数「１５」がピーク時利用予定車室数Ｐ１となる。このため、予約状況管理部５０４は、１５から各時刻の利用予定車室数を減じることで、予約車室数を算出する。
【００９１】
予約車室数は、上述のように、予約車を確実に駐車させるために確保すべき車室数である。図１３及び図１４に示す例では、予約車を確実に駐車させるために、利用予定車室数がピークとなる１２時００分以前でも、ピーク時利用予定車室数Ｐ１分の車室を確保しなければならない。このため、予約状況管理部５０４は、ピーク時利用予定車室数Ｐ１から、各時刻において利用予定の利用予定車室数を減じることで、各時刻の予約車室数を算出することができる。
【００９２】
続いて、在車情報取得部５０５が、在車情報を取得する（ステップ１０５）。これにより、ＤＢ５２に格納された在車ＤＢにこれらの情報が反映される。
【００９３】
図１５は、在車ＤＢに格納された在車テーブルの一例を示す図である。
在車テーブルには、駐車場装置１０から受信した在車情報が格納されている。具体的には、在車テーブルには、入場時に発行された駐車券番号と、それに対応付けられた、駐車場予約管理サービスの会員番号、入場した駐車場名（ここでは駐車場Ａ）、車両ナンバー、入場時刻の情報を含む。さらに、在車テーブルは、予約車に対しては、予約時に付与された予約番号、入場予定時刻及び出場予定時刻の情報を含み、駐車場予約管理サービスの会員に対しては、会員番号の情報を含む。予約車に関する情報は、例えば、予約ＤＢの情報が反映される。
なお出場した車両の情報は、在車テーブルから削除される。
【００９４】
続いて、一般利用管理部５０６が、在車情報及び予約状況管理部５０４の算出した予約車室数に基づいて、現在時刻における一般利用者の利用が可能な車室の数を一般利用可能車室数として算出する（ステップ１０６）。
【００９５】
図１３及び図１４を参照し、一般利用管理部５０６は、在車情報に基づいて、実際の利用車室数である実在車室を算出する。現在時刻である１０時３０分において、駐車場Ａには５０台の車両が駐車中である。駐車場Ａの全車室数は１００なので、空き車室数は５０ということになる。仮に、空き車室全てを一般車に開放すると、１２時まで増え続ける予定の予約車を受け入れることができない可能性がある。
【００９６】
そこで、一般利用管理部５０６は、全車室数（１００）から現在時刻の実在車室数を減じて算出された空き車室数から、さらに確保すべき現在時刻の予約車室数を減じることで、現在時刻における一般利用可能車室数を算出する。図１３及び図１４に示す例では、現在時刻（１０時３０分）の一般利用可能車室数は、空き車室数の５０から予約車室数の５を減じた４５となる。これにより、現在時刻において一般車を最大何台受け入れ可能であるか算出することができる。
【００９７】
続いて、一般利用管理部５０６が、一般利用可能車室数が所定の閾値以下であるか否か判定する（ステップ１０７）。本動作例において、一般利用管理部５０６は、現在時刻における一般利用可能車室数が閾値ａ以下であるか否か判定する。閾値ａは、予約車が早めに到着したり、予約車が出場予定時刻を過ぎても出場しない場合を考慮して適宜決定され、具体的には、予約車の実際の利用状況のデータ等に基づいて決定され得る。
【００９８】
一般利用可能車室数が閾値ａ以下であると判定した場合（ステップ１０７でＹＥＳ）、一般利用管理部５０６は、一般車の入場を規制する（ステップ１０９）。具体的には、一般利用管理部５０６は、駐車場装置１０に対し、一般利用者の入場を規制する入場規制情報を出力する。これにより、駐車場装置１０の満車表示制御部１０６が、満車表示機２３の「一般車満車」の表示を点灯させるとともに、入場管理部１０２が一般車用の入場レーンの入口ゲート開閉機１８を閉鎖することで、一般車の入場を規制する。
【００９９】
一般利用可能車室数が閾値ａ以下でないと判定した場合（ステップ１０７でＮＯ）、駐車場装置１０に対し、一般車の入場を許可する（ステップ１０８）。具体的には、一般利用管理部５０６は、駐車場装置１０に対し、一般利用者の入場が可能である旨の入場許可情報を出力する。これにより、駐車場装置１０の入場管理部１０２が一般車の入場に応じて入口ゲート開閉機１８を開放するとともに、満車表示制御部１０６が満車表示機２３の「一般車満車」の表示を消灯させることで、一般車の入場を可能にする。
【０１００】
以上のように、本実施形態によれば、一般車からの出場予定時刻を取得することができる。これにより、駐車場管理装置５０が、予約車室数の算出時に、予約利用予定車室数から一般車出場予定数を減じることで算出された利用予定車室数を用いて予約状況の管理及び一般車入場規制判定の処理を行うことができる。したがって、現在時刻において確保すべき予約車室数を少なく算出することができ、一般利用可能車室数を増加させることができる。
以下、一般車の出場予定時刻を取得しないで一般利用可能車室数を算出する比較例を挙げて説明する。
【０１０１】
図１６は、本実施形態の比較例に係る駐車場管理装置における、一般車からの出場予定時刻を用いない場合の予約車室数及び一般利用可能車室数等の算出処理例を説明するための表である。同図の表には、各時刻に対する予約利用予定車室数、予約車室数、実在車数、及び一般利用可能車室数が記載されている。駐車場の全車室数（１００）、並びに各時刻の予約利用予定車室数及び実在車数は、実施例と同一とする。
【０１０２】
図１７は、図１６の各データを視覚的に表したグラフであり、横軸が時刻、縦軸が車室数を示す。図１６のグラフの各時刻において、紙面向かって左側のバーは、予約利用予定車室数、利用予定車室数及び予約車室数の関係について示し、紙面向かって右側のバーは、実在車数及び一般利用可能車室数の関係について示す。
【０１０３】
本比較例の駐車場管理装置は、予約利用予定車室数がピークとなる時刻のピーク時予約利用予定車室数から、各時刻の予約利用予定車室数を減じることで、各時刻の予約車室数を算出する。すなわち、本比較例では、一般車出場予定数が不明であるため、予約車室数の算出に予約利用予定車室数のみを用いる。これにより、各時刻とも実施例よりも予約車室数が増加することとなる。
【０１０４】
図１６に示すように、本比較例の駐車場管理装置は、実施例と同様に一般利用可能車室数を算出することができる。すなわち、本比較例の駐車場管理装置は、全車室数（１００）から現在時刻の実在車室数を減じて算出された空き車室数から、さらに現在時刻の予約車室数を減じることで、現在時刻における一般利用可能車室数を算出する。その結果、本比較例では、予約車室数が実施例よりも多いことから、一般利用可能車室数が実施例よりも少なくなる。具体的には、現在時刻である１０時３０分において、実施例の一般利用可能車室数は上述のように４５であるが、比較例の一般利用可能車室数は、空き車室数（５０）から予約車室数（１５）を減じた３５となる。
【０１０５】
これらの結果より、本実施形態では一般車からの出場予定時刻を取得するため、空き車室として確保すべき予約車室の数を低減させることができる。これにより、一般利用可能車室数を増加させることができ、予約車を確実に入場させつつ、一般車をより多く入場させることができる。したがって、予約車と一般車とが混在した駐車場に対しても効率よく運用することができる。
【０１０６】
＜第２の実施形態＞
図１８は、本発明の第２の実施形態に係る駐車場管理装置の機能構成例を示すブロック図である。
本実施形態の駐車場管理装置７０は、予約車室数に応じて予約の受付の可否を判定することができる。
【０１０７】
すなわち駐車場管理装置７０は、第１の実施形態と同様の予約情報取得部５０１と、予約情報送信部５０２と、出場予定時刻取得部５０３と、予約状況管理部５０４と、在車情報取得部５０５と、一般利用管理部５０６と、会員情報管理部５０７と、を有する。さらに駐車場管理装置７０は、予約受付判定部７０８を有する。
以下の説明において、上述の第１の実施形態と同様の構成については同一の符号を付してその説明を省略する。
【０１０８】
予約受付判定部７０８は、予約状況管理部５０４により算出された予約車室数に基づいて、予約利用者から申請された入場予定時刻における予約の受付の可否を判定する。予約受付判定部７０８は、予約利用者から申請された入場予定時刻における予約車室数が所定の閾値以上の場合、予約の受付をしないと判定することができる。
予約受付の可否の判定に用いられる閾値は、例えば、従来の在車データ等に基づいて適宜決定することができる。
【０１０９】
予約車室数が非常に多い場合、一般車入場可能数が少なくなり、一般車を十分に受け入れることができなくなる。この場合、駐車場が混雑し、近隣道路の渋滞等を招きかねない。このため本実施形態では、予約車室数が所定の閾値に達した場合に予約の受付をしないと判定することで、駐車場の過度の混雑を回避することができる。したがって、予約利用と一般利用のバランスを調整し、より効率よく利用者を受け入れることが可能となる。
【０１１０】
＜第３の実施形態＞
図１９は、本発明の第３の実施形態に係る駐車場管理装置の機能構成例を示すブロック図である。
本実施形態の駐車場管理装置８０は、出場予定時刻を登録した一般利用者に対して、出場予定時刻と実際の出場時刻との差異が小さい場合、報奨を付与することことができる。
【０１１１】
すなわち駐車場管理装置８０は、第１の実施形態と同様の予約情報取得部５０１と、予約情報送信部５０２と、出場予定時刻取得部５０３と、予約状況管理部５０４と、一般利用管理部５０６と、会員情報管理部５０７を有する。さらに駐車場管理装置８０は、第１の実施形態と異なる在車情報取得部８０５と、報奨付与判定部８０９とを有する。
以下の説明において、上述の第１の実施形態と同様の構成については同一の符号を付してその説明を省略する。
【０１１２】
在車情報取得部８０５は、出場情報として、駐車場を利用した一般利用者の実際の出場時刻を取得する。出場情報は、在車情報に含まれる。本実施形態の在車情報取得部８０５は、出場情報取得部としても機能する。
【０１１３】
報奨付与判定部８０９は、一般利用者の出場時刻に基づいて、出場予定時刻を申請した一般利用者に報奨を付与するか否か判定する。
本実施形態において、報奨付与判定部８０９は、一般利用者の出場予定時刻と出場時刻との差異が所定の時間以下であった場合に、一般利用者に報奨を付与すると判定する。「所定の時間」は、過去に取得した出場予定時刻と出場時刻との差異のデータ等に基づいて適宜決定される。報奨としては、今回若しくは次回以降の駐車場利用料金の割引や、駐車場の提携店舗での料金割引、駐車場予約管理サービスが適用するポイントサービスにおけるポイントの付与等が挙げられる。
【０１１４】
本実施形態によれば、一般利用者が申請通り又は申請した時刻に近い出場時刻で出場した場合に報奨を与えることができ、一般利用者の出場時刻申請を促進することができる。これにより、出場時刻申請をする一般利用者を増加させ、予約車室数を増加させることができる。したがって、より多くの一般利用者を入場させることができ、駐車場の利用効率を高めることができる。
【０１１５】
なお、本実施形態の変形例として、駐車場管理装置８０は、一般利用者のみならず、予約利用者に対しても報奨を付与するように構成されてもよい。
この場合、在車情報取得部８０５は、在車情報として、駐車場を利用した一般利用者及び予約利用者の実際の出場時刻を取得する。報奨付与判定部８０９は、一般利用者及び予約利用者から取得した出場予定時刻と出場時刻との差異が所定の時間以下であった場合に、当該一般利用者及び予約利用者に報奨を付与すると判定する。
これにより、駐車場の予約を促して予約利用者数を増加させることができ、駐車場の稼働率を向上させ、経営を安定化させることができる。
【０１１６】
＜第４の実施形態＞
図２０は、本発明の第４の実施形態に係る駐車場管理装置の機能構成例を示すブロック図である。
上記各実施形態では、一般利用可能車室数が所定の閾値以下の場合に、一般車の入場が規制されると説明した。一方で、一般車の入場が規制された場合でも、予約車はさらに入場する可能性がある。設定された閾値によっては、予約車すら入場できない事態も想定される。
このような事態を回避するため、本実施形態の駐車場管理装置９０は、駐車場が混雑している場合、出場予定時刻以前に出場した利用者に報奨を付与し、出場を促すことができる。
【０１１７】
すなわち駐車場管理装置９０は、第３の実施形態と同様の予約情報取得部５０１と、予約情報送信部５０２と、出場予定時刻取得部５０３と、予約状況管理部５０４と、在車情報取得部８０５と、一般利用管理部５０６と、会員情報管理部５０７を有する。さらに駐車場管理装置９０は、第３の実施形態と異なる報奨付与判定部９０９を有する。
以下の説明において、上述の各実施形態と同様の構成については同一の符号を付してその説明を省略する。
【０１１８】
在車情報取得部８０５は、出場情報として、駐車場を利用した一般利用者の実際の出場時刻を取得する。本実施形態において、在車情報取得部８０５は、一般利用者だけでなく、駐車場を利用した一般利用者及び予約利用者の実際の出場時刻を取得してもよい。なお、本実施形態の在車情報取得部８０５は、出場情報取得部としても機能する。
【０１１９】
報奨付与判定部９０９は、一般利用者の出場時刻に基づいて、一般利用者に報奨を付与するか否か判定する。本実施形態において、報奨付与判定部９０９は、駐車場が混雑している場合であって、一般利用者の出場時刻が出場予定時刻以前の所定範囲の時刻である場合に、一般利用者に報奨を付与すると判定する。出場予定時刻以前の所定範囲の時刻としては、例えば、出場予定時刻以前の所定の設定時刻以前の時刻であってもよいし、出場予定時刻よりも所定の時間以上早い時刻であってもよい。
【０１２０】
報奨付与判定部９０９による駐車場が混雑しているかの判定方法としては、例えば、一般利用可能車室数が所定の閾値以上であるか否か判定し、一般利用可能車室数が所定の閾値以上である場合に、駐車場が混雑していると判定する方法が挙げられる。あるいは、一般車の入場規制を開始してからの経過時間や、入場レーンカメラ１９等により撮像された入場レーン付近で駐車場の入場を待機する一般車の数等に基づいて、駐車場が混雑していると判定してもよい。
【０１２１】
報奨付与判定部９０９は、一般利用者だけでなく、予約利用者に対しても報奨を付与する判定を行ってもよい。この場合、報奨付与判定部９０９は、駐車場が混雑している場合であって、一般利用者及び予約利用者の出場時刻が出場予定時刻以前の所定範囲の時刻である場合に、当該一般利用者及び予約利用者に報奨を付与すると判定する。
【０１２２】
図２１は、駐車場Ａを管理する駐車場管理装置９０による予約状況管理及び一般車入場規制判定の処理の一例を示すフローチャートである。ここでは、全車室数が１００台である駐車場Ａの予約状況の管理等を行う場合について説明する。
なお、ステップ３０１〜ステップ３０９は、それぞれ第１の実施形態の図９に係るステップ１０１〜ステップ１０９と同様であるため、説明を省略する。
【０１２３】
一般車の入場規制がされた（ステップ３０９）後、報奨付与判定部９０９は、一般利用可能車室数が閾値ｂ以下であるか否か判定する（ステップ３１０）。閾値ｂは、上述の閾値ａよりも小さい値であって、蓄積された実際の利用状況のデータ等に基づいて決定され得る。一般利用可能車室数が閾値ｂ以下である場合（ステップ３１０でＹＥＳ）、報奨付与判定部９０９は、駐車場Ａが混雑しているとみなし、ステップ３１１に進む。
【０１２４】
また、ステップ３１０で駐車場Ａが混雑しているとみなされた場合には、例えば駐車場Ａや駐車場Ａと提携する店舗内等において、報奨付与に関する通知がなされてもよい。通知方法は特に限定されないが、例えば、駐車場予約管理サービスのアプリケーションによる携帯端末３０への通知や、場内放送等が挙げられる。
【０１２５】
続いて報奨付与判定部９０９は、一般利用者及び予約利用者の出場時刻が出場予定時刻以前の所定範囲の時刻である場合に、一般利用者及び予約利用者に報奨を付与すると判定する（ステップ３１１）。報奨を付与すると判定された一般利用者及び予約利用者には、個別に割引特典やポイント付与等が供される。
【０１２６】
以上のように、本実施形態によれば、駐車場が非常に混雑した場合に、出場予定時刻以前に出場した利用者に対して報奨を付与することで、出場を促し、駐車場の混雑を緩和することができる。したがって、駐車場の利用効率をより高めることができる。
【０１２７】
以上、本発明の各実施形態について説明したが、本発明は上述の実施形態にのみ限定されるものではなく、本発明の要旨を逸脱しない範囲内において種々変更を加え得ることは勿論である。例えば本発明の実施形態は各実施形態を組み合わせた実施形態とすることができる。
【０１２８】
予約状況管理部５０４は、例えば、予約ＤＢに一般利用者から取得した出場予定時刻を反映させればよく、必ずしも予約車室の管理を行わなくてもよい。この場合は、駐車場の管理者等が当該予約ＤＢを参照することで、予約車室の管理や一般利用者の入場規制等を行うことができる。
【０１２９】
また予約状況管理部５０４の行う予約車室の管理は、予約車室数の算出のみならず、予約車室の位置の指定等を含んでいてもよい。
【０１３０】
以上の実施形態では、一般利用者の出場予定時刻の入力方法として、駐車予約管理サービスのアプリケーションを介して入力する例を示したが、これに限定されない。例えば、ブラウザで閲覧・入力できるＷｅｂページを用いて出場予定時刻を入力してもよい。これにより、アプリケーションのインストールを必要としないため、一般利用者が駐車場予約管理サービスの会員登録をしなくても出場予定時刻を登録することができる。さらに、Ｗｅｂページを用いることで、携帯端末３０等ＯＳ（Operation system）の種類を問わないので、システムの構成が簡単となり、管理側と利用者の双方にとっても利便性と経済性が向上する。
【０１３１】
例えば、出場予定時刻取得部は、携帯端末３０ではなく、駐車場内や駐車場と提携する店舗に設置された装置等を介して、一般利用者の出場予定時刻を取得してもよい。一例として、出場予定時刻取得部は、駐車場の事前精算が可能な事前精算機を介して出場予定時刻を取得することができる。駐車場の一般利用者が事前精算機で精算した場合、精算後所定の出場可能時間以内に出場しなければならず、当該時間を超過した場合追加料金が徴収される。すなわちこの場合、出場予定時刻取得部は、取得された事前精算機による精算時刻に基づいて出場可能時間の終了時刻を算出し、算出された終了時刻を出場予定時刻として取得することをいうものとする。
【０１３２】
このように、出場予定時刻取得部による出場時刻の取得処理は、一般利用者から入力された出場時刻を受信する形態に限定されない。
【０１３３】
また、利用予定時刻は、少なくとも入場予定時刻を含んでいればよい。例えば、予約利用者における利用スペースの利用時間が予め決定されている施設の場合には、予約情報取得部が、予約利用者の入場予定時刻のみ取得できればよく、必ずしも出場予定時刻を取得しなくてもよい。
【０１３４】
また、駐車場の入場時点で、駐車券の発行に代えて、スマホでのビーコン、ＮＦＣ、カメラによるコード記録等、チケットレスの運用をおこないつつ、出場予約を受け付けるようにしてもよい。
【０１３５】
本発明の施設は駐車場に限定されず、予約利用者と一般利用者が所定のスペースを利用できる施設であればよい。このような施設として、貸スペース、貸会議室、飲食店等が挙げられる。
【０１３６】
また、本発明は、請求の範囲及び明細書全体から読み取ることのできる発明の要旨又は思想に反しない範囲で適宜変更可能であり、そのような変更を伴う施設管理装置等もまた本発明の技術思想に含まれる。
【産業上の利用可能性】
【０１３７】
本発明の技術は、有料駐車場の駐車場管理装置や、飲食店や貸会議室等の施設管理装置等において、好適に使用されることが見込まれるものである。
【符号の説明】
【０１３８】
５０…駐車場管理装置（施設管理装置）
１００…駐車場管理システム（施設管理システム）
３０…携帯端末
５０１…予約情報取得部
５０３…出場予定時刻取得部
５０４…予約状況管理部
５０５，８０５…在車情報取得部（利用情報取得部、出場情報取得部）
５０６…一般利用管理部
７０８…予約受付判定部
８０９，９０９…報奨付与判定部
【図１】
2019028630.tif 000003
【図２】
2019028630.tif 000004
【図３】
2019028630.tif 000005
【図４】
2019028630.tif 000006
【図５】
2019028630.tif 000007
【図６】
2019028630.tif 000008
【図７】
2019028630.tif 000009
【図８】
2019028630.tif 000010
【図９】
2019028630.tif 000011
【図１０】
2019028630.tif 000012
【図１１】
2019028630.tif 000013
【図１２】
2019028630.tif 000014
【図１３】
2019028630.tif 000015
【図１４】
2019028630.tif 000016
【図１５】
2019028630.tif 000017
【図１６】
2019028630.tif 000018
【図１７】
2019028630.tif 000019
【図１８】
2019028630.tif 000020
【図１９】
2019028630.tif 000021
【図２０】
2019028630.tif 000022
【図２１】
2019028630.tif 000023